(57)【要約】【課題】計数ホッパの有無に拘わらず計数遊技媒体受け皿の有効利用を図り、利便性の向上を図る上で有利な遊技媒体貸出機を提供する。【解決手段】計数遊技媒体受け皿２６に、受け皿用蓋２８と装着具６０とが選択的に装着可能に設けられている。受け皿用蓋２８は、計数遊技媒体受け皿部２６に対して開閉可能で計数遊技媒体受け皿部２６を閉じた状態でその上面に携帯通信機２の載置を可能とした携帯通信機載置部４４を有している。装着具６０は、カップの載置を可能としたカップ載置部６６と、携帯通信機２の載置を可能とした携帯通信機載置部６８と、カップ載置部６６と携帯通信機載置部６８とが計数遊技媒体受け皿２６に装着された状態を保持する保持部６４とを有している。【選択図】図１４
2018015028.tif 000002
【特許請求の範囲】
【請求項１】
遊技機に併設される筐体を備え、前記筐体の正面に計数遊技媒体受け皿が設けられた遊技媒体貸出機であって、
前記計数遊技媒体受け皿に対して受け皿用蓋と装着具とが選択的に装着可能に設けられ、
前記受け皿用蓋は、前記計数遊技媒体受け皿に対して開閉可能に設けられ、
前記装着具は、前記計数遊技媒体受け皿に装着された状態を保持する保持部を有している、
ことを特徴とする遊技媒体貸出機。
【請求項２】
前記受け皿用蓋は、前記計数遊技媒体受け皿を閉じた状態でその上面に携帯通信機の載置を可能とした携帯通信機載置部を有し、
前記装着具は、物品の載置を可能とした物品載置部を有する、
ことを特徴とする請求項１に記載の遊技媒体貸出機。
【請求項３】
前記物品載置部は、携帯通信機の載置を可能とした携帯通信機載置部を含んで複数設けられている、
ことを特徴とする請求項２に記載の遊技媒体貸出機。
【請求項４】
前記筐体の内部に計数ホッパが配置されている場合には、前記計数遊技媒体受け皿に前記受け皿用蓋が装着され、
前記筐体の内部に計数ホッパが配置されていない場合には、前記計数遊技媒体受け皿に前記装着具が装着される、
ことを特徴とする請求項１〜３の何れか１項記載の遊技媒体貸出機。
【請求項５】
前記受け皿用蓋は、前記受け皿用蓋に設けられた支軸が、計数遊技媒体受け皿に設けられた軸受部で回転可能に支持されることで前記計数遊技媒体受け皿に装着され、
前記軸受部に切り欠きが設けられ、
前記装着具に、前記装着具が前記計数遊技媒体受け皿に装着された状態で前記切り欠きに係止して前記装着具の前記計数遊技媒体受け皿に対する位置決めを行なう位置決め突起が設けられている、
ことを特徴とする請求項１〜４の何れか１項記載の遊技媒体貸出機。
【請求項６】
前記保持部は、前記筐体の外側から見えない前記筐体の正面の内側の適宜箇所に係脱可能に係止する、
ことを特徴とする請求項１〜５の何れか１項記載の遊技媒体貸出機。
【請求項７】
前記筐体は、払い出しホッパを内部に収容する筐体本体と、前記筐体本体の正面の下部に着脱可能に取着される下部正面板と、前記下部正面板が取着された前記筐体本体の上方に設けられた払い出しホッパ遊技媒体投入用の開口と、前記開口を開閉する開閉蓋とを含んで構成され、
前記内部と反対に位置する前記下部正面板の正面である前記筐体の正面に、前記払い出しホッパから遊技媒体が供給されるノズルシュートが設けられ、
前記計数遊技媒体受け皿は、前記下部正面板の正面で前記ノズルシュートの上に設けられ、
前記受け皿用蓋と前記装着具は、共に前記下部正面板が前記筐体から取り外された状態で前記計数遊技媒体受け皿から取り外し可能である、
ことを特徴とする請求項１〜６の何れか１項記載の遊技媒体貸出機。
【請求項８】
前記下部正面板は、前記筐体本体の正面の係止孔に下方に変位することで係止し、上方に変位することで前記係止孔から外れる係止爪を有し、
前記開閉蓋が前記開口を閉塞した状態で、前記下部正面板は前記開閉蓋に当接して上方への変位が不能となり、
前記開閉蓋が前記開口を開放した状態で、前記下部正面板は上方への変位が可能となり、前記筐体本体から取り外し可能となる、
ことを特徴とする請求項７記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、遊技者が貨幣を貨幣投入口に投入することで、あるいは、所定のカード媒体をカード挿入口に挿入することで、メダルの払い出しを行なう。
また、隣り合う遊技機と遊技媒体貸出機の間には寸法調整のための台間柱が設けられている。
また、遊技媒体貸出機は、計数ホッパを設けることでメダルの計数機能を備えるものと、計数ホッパを設けずメダルの計数機能を備えないものとの２種類があり、遊技店の事情に応じてそれら２種類の遊技媒体貸出機が使い分けられている。
メダルの計数機能を備える遊技媒体貸出機には、計数ホッパと、計数ホッパにメダルを導く計数遊技媒体受け皿とが設けられている。
計数遊技媒体受け皿には、受け皿用蓋が設けられており、使用時には受け皿用蓋を開き、非使用時には受け皿用蓋で計数遊技媒体受け皿を閉じ異物が入らないようにしている。
また、計数ホッパを設けない遊技媒体貸出機にも、計数ホッパにメダルを導く計数遊技媒体受け皿を設けておけば、計数ホッパを後付けすることで、遊技媒体貸出機に計数機能を簡単に付加することができる。
このようなことから、計数ホッパを設けない遊技媒体貸出機に計数遊技媒体受け皿を設けた場合は、計数遊技媒体受け皿に異物が入らないように計数遊技媒体受け皿をカバーで閉塞して使用できないようにしている。
【先行技術文献】
【特許文献】
【０００３】
【特許文献１】特開２０１４−２１２９６７号公報
【発明の概要】
【発明が解決しようとする課題】
【０００４】
しかしながら、計数ホッパを設けない遊技媒体貸出機に計数遊技媒体受け皿を設け、計数遊技媒体受け皿をカバーで閉塞するのでは、それら計数遊技媒体受け皿とカバーとは遊技媒体貸出機の利便性の向上を図る上で何ら寄与していない。
本発明は前記事情に鑑み案出されたものであり、本発明の目的は、計数ホッパの有無に拘わらず計数遊技媒体受け皿の有効利用を図り、利便性の向上を図る上で有利な遊技媒体貸出機を提供することにある。
【課題を解決するための手段】
【０００５】
上記目的を達成するために、請求項１記載の発明は、遊技機に併設される筐体を備え、前記筐体の正面に計数遊技媒体受け皿が設けられた遊技媒体貸出機であって、前記計数遊技媒体受け皿に対して受け皿用蓋と装着具とが選択的に装着可能に設けられ、前記受け皿用蓋は、前記計数遊技媒体受け皿に対して開閉可能に設けられ、前記装着具は、前記計数遊技媒体受け皿に装着された状態を保持する保持部を有していることを特徴とする。
請求項２記載の発明は、前記受け皿用蓋は、前記計数遊技媒体受け皿を閉じた状態でその上面に携帯通信機の載置を可能とした携帯通信機載置部を有し、前記装着具は、物品の載置を可能とした物品載置部を有することを特徴とする。
請求項３記載の発明は、前記物品載置部は、携帯通信機の載置を可能とした携帯通信機載置部を含んで複数設けられていることを特徴とする。
請求項４記載の発明は、前記筐体の内部に計数ホッパが配置されている場合には、前記計数遊技媒体受け皿に前記受け皿用蓋が装着され、前記筐体の内部に計数ホッパが配置されていない場合には、前記計数遊技媒体受け皿に前記装着具が装着されることを特徴とする。
請求項５記載の発明は、前記受け皿用蓋は、前記受け皿用蓋に設けられた支軸が、計数遊技媒体受け皿に設けられた軸受部で回転可能に支持されることで前記計数遊技媒体受け皿に装着され、前記軸受部に切り欠きが設けられ、前記装着具に、前記装着具が前記計数遊技媒体受け皿に装着された状態で前記切り欠きに係止して前記装着具の前記計数遊技媒体受け皿に対する位置決めを行なう位置決め突起が設けられていることを特徴とする。
請求項６記載の発明は、前記保持部は、前記筐体の外側から見えない前記筐体の正面の内側の適宜箇所に係脱可能に係止することを特徴とする。
請求項７記載の発明は、前記筐体は、払い出しホッパを内部に収容する筐体本体と、前記筐体本体の正面の下部に着脱可能に取着される下部正面板と、前記下部正面板が取着された前記筐体本体の上方に設けられた払い出しホッパ遊技媒体投入用の開口と、前記開口を開閉する開閉蓋とを含んで構成され、前記内部と反対に位置する前記下部正面板の正面である前記筐体の正面に、前記払い出しホッパから遊技媒体が供給されるノズルシュートが設けられ、前記計数遊技媒体受け皿は、前記下部正面板の正面で前記ノズルシュートの上に設けられ、前記受け皿用蓋と前記装着具は、共に前記下部正面板が前記筐体から取り外された状態で前記計数遊技媒体受け皿から取り外し可能であることを特徴とする。
請求項８記載の発明は、前記下部正面板は、前記筐体本体の正面の係止孔に下方に変位することで係止し、上方に変位することで前記係止孔から外れる係止爪を有し、前記開閉蓋が前記開口を閉塞した状態で、前記下部正面板は前記開閉蓋に当接して上方への変位が不能となり、前記開閉蓋が前記開口を開放した状態で、前記下部正面板は上方への変位が可能となり、前記筐体本体から取り外し可能となることを特徴とする。
【発明の効果】
【０００６】
請求項１記載の発明によれば、計数ホッパの有無に対応した共用部分が多い遊技媒体貸出機を提供することができる。また、計数遊技媒体受け皿に受け皿用蓋と装着具とを選択的に装着可能に設けたので、遊技媒体貸出機の利便性の向上を図る上で有利となる。
請求項２記載の発明によれば、計数ホッパを備えた遊技媒体貸出機であっても、あるいは、計数ホッパを備えていない遊技媒体貸出機であっても、計数ホッパの有無に拘わらず遊技者の邪魔にならないように携帯通信機を載置でき、あるいは、物品を載置でき利便性の向上を図る上で有利な遊技媒体貸出機が得られる。
請求項３記載の発明によれば、計数ホッパを利用する場合に、受け皿用蓋に携帯通信機を載置することができ、計数ホッパを利用しない場合も、装着具に携帯通信機を載置することができる。
請求項４記載の発明によれば、計数ホッパを利用する場合に、受け皿用蓋に携帯通信機を載置することができ、計数ホッパを利用しない場合は、計数遊技媒体受け皿に装着具が装着され、遊技媒体貸出機の利便性の向上が図られる。
請求項５記載の発明によれば、受け皿用蓋の軸受部を利用して装着具の位置決めを行なえ、部品点数の削減化、軽量化を図る上で有利となる。
請求項６記載の発明によれば、装着具が不正に持ち去られるといったトラブルを防止する上で有利となる。
請求項７、８記載の発明によれば、受け皿用蓋あるいは装着具が不正に持ち去られるといったトラブルを防止する上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】実施の形態に係る遊技媒体貸出機の受け皿用蓋が閉じた状態を示す斜視図である。
【図３】図２の側面図である。
【図４】実施の形態に係る遊技媒体貸出機の受け皿用蓋が開いた状態を示す斜視図である。
【図５】受け皿用蓋が計数遊技媒体受け皿から取り外された状態を示す斜視図である。
【図６】下部正面板を背面側から見た斜視図である。
【図７】（Ａ）は受け皿用蓋の平面図、（Ｂ）は受け皿用蓋の正面図、（Ｃ）は受け皿用蓋の側面図、（Ｄ）は受け皿用蓋の側面断面図である。
【図８】（Ａ）は軸受部の斜視図、（Ｂ）は（Ａ）のＢ矢視図、（Ｃ）は（Ａ）のＣ矢視図である。
【図９】受け皿用蓋が第１の開放位置に開放された状態を示す遊技媒体貸出機の側面図である。
【図１０】受け皿用蓋が第１の開放位置に開放された状態でヒンジ部を拡大した側面図である。
【図１１】受け皿用蓋が第２の開放位置に開放された状態を示す下部正面板の側面図である。
【図１２】受け皿用蓋が第２の開放位置に開放された状態でヒンジ部を拡大した側面図である。
【図１３】受け皿用蓋がヒンジ部から取り外された状態を示す側面図である。
【図１４】（Ａ）は携帯通信機が縦置きされた状態を示す斜視図、（Ｂ）は（Ａ）の正面図、（Ｃ）は（Ａ）の側面図である。
【図１５】（Ａ）は携帯通信機が横置きされた状態を示す斜視図、（Ｂ）は（Ａ）の正面図、（Ｃ）は（Ａ）の側面図である。
【図１６】（Ａ）は実施の形態に係る遊技媒体貸出機の正面図、（Ｂ）は実施の形態に係る遊技媒体貸出機の側面図である。
【図１７】実施の形態に係る遊技媒体貸出機に組み付けられた装着具の斜視図である。
【図１８】装着具が計数遊技媒体受け皿に装着された下部正面板の側面図である。
【図１９】装着具が計数遊技媒体受け皿に装着される前の下部正面板の斜視図である。
【図２０】図１９の側面図である。
【図２１】装着具が計数遊技媒体受け皿に装着された下部正面板を背面側から見た斜視図である。
【図２２】装着具の係止突起が計数遊技媒体受け皿と計数メダル通路とを連通する開口の上縁に係止した状態を示す側面図である。
【図２３】図２２のＡ部分の拡大図である。
【図２４】（Ａ）は装着具の正面図、（Ｂ）は装着具の平面図、（Ｃ）は装着具の側面図である。
【図２５】（Ａ）は装着具の断面図、（Ｂ）は携帯通信機が載置された装着具の断面図である。
【図２６】携帯通信機と缶飲料が装着具に載置された状態を示す遊技媒体貸出機の側面図である。
【図２７】（Ａ）は缶飲料と携帯通信機が装着具に載置された状態を示す遊技媒体貸出機の斜視図、（Ｂ）は携帯通信機が横置きで装着具に載置された状態を示す遊技媒体貸出機の斜視図、（Ｃ）は携帯通信機が装着具に載置された状態を示す遊技媒体貸出機の斜視図、（Ｄ）は缶飲料が装着具に載置された状態を示す遊技媒体貸出機の斜視図、（Ｅ）はたばこが装着具に載置された状態を示す遊技媒体貸出機の斜視図である。
【発明を実施するための形態】
【０００８】
（計数ホッパを備えた遊技媒体貸出機）
以下、本発明の実施の形態について添付図面を参照して説明する。
まず、図１〜図１５を参照して計数ホッパ２１を備えた遊技媒体貸出機１０Ａから説明する。
図１（Ａ）、（Ｂ）に示すように、遊技媒体貸出機１０Ａは、遊技媒体を用いて遊技を行なう遊技機、例えば、スロットマシン等に併設される装置である。本実施の形態では、遊技媒体としてメダルを用いる場合について説明する。
遊技媒体貸出機１０Ａは、筐体１２と、筐体本体１４と、ビルバリユニット１６と、制御部１８と、払い出しホッパ２０と、計数ホッパ２１と、ノズルシュート２２と、ノズル２４と、計数遊技媒体受け皿２６と、受け皿用蓋２８とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、開閉蓋３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４、充電用コネクタ１８０６が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
充電用コネクタ１８０６は、後述する受け皿用蓋２８に載置された携帯通信機２にケーブルを介して接続されることで携帯通信機の充電を行なうものであり、充電用コネクタ１８０６としてＵＳＢコネクタなど従来公知の様々なコネクタが使用可能である。
【００１１】
制御部１８の下方には開口３４が設けられている。開口３４は、払い出しホッパ２０にメダルを補充する部分であり、制御部側正面板１８Ａの下方に位置する正面開口部１４１０の部分で構成され、開口３４は、開閉蓋３０で開閉される。開閉蓋３０は専用のキーをキー孔３０１０に差し込むことで開閉操作が許容される。
払い出しホッパ２０は、開口３４から投入されたメダルを収容すると共に、制御部１８から指定された枚数のメダルをノズルシュート２２に払い出すものである。
正面開口部１４１０の下部には下部正面板３２が着脱可能に取着されており、開閉蓋３０の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に供給される。
【００１２】
ノズルシュート２２は、払い出しホッパ２０から払い出されたメダルを受け入れてノズル２４に導く部分であり、ノズルシュート２２は、例えば下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１３】
下部正面板３２の正面３２０２は、筐体１２の正面を構成している。
図４、図５に示すように、計数遊技媒体受け皿２６は、下部正面板３２の正面３２０２でノズルシュート２２の上に設けられている。
【００１４】
図５、図６に示すように、下部正面板３２の背面３２０４に、計数遊技媒体受け皿２６に投入されたメダルを計数ホッパ２１に導く計数メダル通路３６が設けられている。計数遊技媒体受け皿２６と計数メダル通路３６は、下部正面板３２に形成された開口３８を介して連通している。
本実施の形態では、図６に示すように、計数メダル通路３６は、下部正面板３２の背面に取着され開口３８の上部と両側を覆い開口３８の下方が開放されたカバー４０で構成されている。
また、下部正面板３２の背面３２０４で計数メダル通路３６の上方の箇所には、ノズルシュート２２に連通し払い出しホッパ２０から払い出されたメダルをノズルシュート２２に導く払い出しメダル通路４２が設けられている。
【００１５】
また、図５、図６に示すように、下部正面板３２の両側には、それぞれ上下方向に間隔をおいて３つの係止爪３２１０が突設されている。
下部正面板３２は、それら３つの係止爪３２１０が筐体１２の正面開口部１４１０の下部の両側の係止孔（不図示）に、上方から下方に挿入され係止されることで筐体１２に装着される。
上述したように下部正面板３２の上方には開閉蓋３０が開閉可能に設けられ、開閉蓋３０が閉じた状態で、開閉蓋３０の下端と下部正面板３２の上端とは当接可能となるため、下部正面板３２の上方への変位は不能となり、すなわち、下部正面板３２の取り外しは不能となる。
また、開閉蓋３０が開いた状態で、開閉蓋３０の下端は下部正面板３２の上端から離れるため、下部正面板３２の上方への変位が可能となり、すなわち、下部正面板３２の取り外しが可能となる。
【００１６】
図７（Ａ）〜（Ｄ）に示すように、受け皿用蓋２８は、携帯通信機の載置を可能とした携帯通信機載置部４４を備えている。
受け皿用蓋２８は、計数遊技媒体受け皿２６を閉じた状態で上方を向いた上面２８０２を有している。
携帯通信機載置部４４は、筐体１２の正面から離れた上面２８０２の先端寄りの箇所に設けられた突起４６と、突起４６の筐体１２の正面側の上面２８０２の箇所に設けられた平面部４８とを含んで構成されている。
したがって、図１４（Ａ）〜（Ｃ）に示すように、横の寸法よりも縦の寸法が大きい携帯通信機２が縦置きされてその下端が平面部４８上に載置されると共に突起４６に係止され、その上端が開閉蓋３０の前面３００２に係止され、立てかけられた状態で載置される。
本実施の形態では、受け皿用蓋２８の上面２８０２は、筐体１２の正面から上面２８０２の先端までの長さと、この長さと直交する幅とを有している。
本実施の形態では、受け皿用蓋２８の平面部４８は、上面２８０２の幅方向の全長にわたり、かつ、携帯通信機２の幅よりも大きい寸法で上面２８０２の長さ方向に延在している。
したがって、図１５（Ａ）〜（Ｃ）に示すように、横の寸法よりも縦の寸法が大きい携帯通信機２の厚さ方向の一方の面が平面部４８に載置された状態で横置きすることも可能となる。
【００１７】
図９〜図１２に示すように、受け皿用蓋２８は、計数遊技媒体受け皿２６の筐体１２の正面寄りの箇所にヒンジ部５０を介して揺動可能に設けられている。
ヒンジ部５０は、受け皿用蓋２８と計数遊技媒体受け皿２６の一方に設けられた支軸と、他方に設けられた軸受部とを含んで構成されている。
本実施の形態では、図７（Ａ）、（Ｂ）および（Ｄ）に示すように、支軸５２が受け皿用蓋２８に設けられ、図８（Ａ）〜（Ｃ）に示すように、軸受部５４が計数遊技媒体受け皿２６に設けられている。
図１０に示すように、支軸５２の断面は、幅よりも長さが大きい細長形状に形成されている。
軸受部５４は、支軸５２を回転可能に支持する断面が円形の円形孔５４０２と、円形孔５４０２に連通し支軸５２の幅の部分が円形孔５４０２から円形孔５４０２の外部への移動を許容する切り欠き５４０４とを含んで構成されている。
【００１８】
図３に示すように、開閉蓋３０が開口３４を閉塞した状態で、受け皿用蓋２８は、計数遊技媒体受け皿２６を閉塞した状態からヒンジ部５０を中心として揺動して開き、図９に示すように開閉蓋３０に当接した第１の開放位置Ｐ１となる。
図１０に示すように、受け皿用蓋２８は、計数遊技媒体受け皿２６を閉塞した状態と第１の開放位置Ｐ１との間では、支軸５２の幅の部分は円形孔５４０２の内側に位置し、したがって、支軸５２を軸受部５４から取り外すことができず、受け皿用蓋２８を計数遊技媒体受け皿２６から取り外すことができない。
なお、開閉蓋３０が開口３４を開放した状態では、受け皿用蓋２８は、開放された開閉蓋３０に当たるため、第１の開放位置Ｐ１よりも閉じた状態の開放位置となる。
【００１９】
下部正面板３２が筐体１２から取り外された状態で、受け皿用蓋２８は、計数遊技媒体受け皿２６を閉塞した状態からヒンジ部５０を中心として揺動して開き、図１１に示すように第１の開放位置Ｐ１よりもさらに開いた第２の開放位置Ｐ２となる。
図１２に示すように、この第２の開放位置Ｐ２で支軸５２の幅の部分と切り欠き５４０４とが合致し、図１３に示すように、支軸５２を軸受部５４から取り外すことができ、受け皿用蓋２８を計数遊技媒体受け皿２６から取り外すことが可能となる。
【００２０】
また、図７（Ａ）、（Ｄ）に示すように、支軸５２の間の受け皿用蓋２８の箇所に係止片２８１０が突設されている。
また、図８（Ａ）〜（Ｃ）に示すように、係止片２８１０に対向する計数遊技媒体受け皿２６の軸受部５４の箇所に凸条５４１０が延在形成されている。
そして、図１０に示すように、受け皿用蓋２８が、計数遊技媒体受け皿２６を閉塞した状態から揺動して第１の開放位置Ｐ１に開いた際に、係止片２８１０が凸条５４１０を乗り越え、受け皿用蓋２８の第１の開放位置Ｐ１が係止保持されるように形成されている。
【００２１】
次に作用効果について説明する。
本実施の形態によれば、遊技媒体貸出機１０の筐体１２の正面に配置された計数遊技媒体受け皿２６を開閉する受け皿用蓋２８に、携帯通信機２の載置を可能とした携帯通信機載置部４４を設けた。
したがって、受け皿用蓋２８はもともと遊技媒体貸出機１０が備えるものであるため、携帯通信機２を遊技者の邪魔になることなく遊技者の近くに載置することができる。
そのため、遊技者は、携帯通信機２の表示画面を容易に視認することができるので、電話やメールなどの着信を見逃すことなく携帯通信機２を操作でき、利便性の向上を図る上で有利となる。
【００２２】
また、本実施の形態では、開閉蓋３０が開口３４を閉塞した状態で、受け皿用蓋２８は、計数遊技媒体受け皿２６を閉塞した状態からヒンジ部５０を中心として揺動して開き開閉蓋３０に当接した第１の開放位置Ｐ１となる。
そして、受け皿用蓋２８は、計数遊技媒体受け皿２６を閉塞した状態と第１の開放位置Ｐ１との間で、支軸５２の幅の部分は円形孔５４０２内に位置し、受け皿用蓋２８の計数遊技媒体受け皿２６からの取り外しが不能となっている。
したがって、開閉蓋３０が計数遊技媒体受け皿２６に装着された状態において、受け皿用蓋２８を遊技媒体貸出機１０から取り外すことができないため、受け皿用蓋２８が不正に持ち去られるといったトラブルを防止する上で有利となる。
【００２３】
また、本実施の形態では、下部正面板３２が筐体１２から取り外された状態で、受け皿用蓋２８は、第１の開放位置Ｐ１よりもさらに開いた第２の開放位置Ｐ２となり、第２の開放位置Ｐ２で支軸５２の幅の部分と切り欠き５４０４とが合致し、受け皿用蓋２８の計数遊技媒体受け皿２６からの取り外しが可能となるようにした。
したがって、下部正面板３２を筐体１２から取り外すことで、受け皿用蓋２８の計数遊技媒体受け皿２６への取り付け、取り外しが容易に行なえ、受け皿用蓋２８の計数遊技媒体受け皿２６への組み付け作業や交換作業の効率化を図る上で有利となる。
【００２４】
また、本実施の形態では、開閉蓋３０で開口３４を開放させると、下部正面板３２は上方への変位が可能となり、下部正面板３２を筐体本体１４から取り外し可能となるようにし、開閉蓋３０の開放はキー操作により初めて許容される。
したがって、キーを用いて開閉蓋３０が開口３４を開放した状態としない限り、下部正面板３２を筐体本体１４から取り外すことができず、受け皿用蓋２８を遊技媒体貸出機１０から取り外すことができないため、受け皿用蓋２８が不正に持ち去られるといったトラブルを防止する上で有利となる。
【００２５】
また、本実施の形態では、計数遊技媒体受け皿２６の上方の筐体１２の正面の箇所に携帯通信機２の充電を行なう充電用コネクタ１８０６が設けられているので、携帯通信機載置部４４に載置された携帯通信機２と充電用コネクタ１８０６とをケーブルを介して接続することで、携帯通信機２の充電を行なうことができる。
したがって、遊技中に携帯通信機２の充電を行なうサービスを提供することができ、利便性の向上を図る上で有利となる。
【００２６】
さらに本実施の形態の作用効果を図１４、図１５に示す具体例に基づいて説明する。
図１４（Ａ）〜（Ｃ）は、横の寸法よりも縦の寸法が大きい携帯通信機２が縦置きされてその下端が平面部４８上に載置されると共に突起４６に係止され、その上端が開閉蓋３０の前面３００２に係止され、立てかけられ載置された状態を示す。
したがって、携帯通信機２の下端は平面部４８上に載置されるため、携帯通信機２の下端が平面部４８に対してがたつくことがなく、携帯通信機載置部４４に縦置きで載置された携帯通信機２の姿勢を安定して保持する上で有利となる。
また、図１５（Ａ）〜（Ｃ）は、横の寸法よりも縦の寸法が大きい携帯通信機２の厚さ方向の一方の面が平面部４８に載置され横置きされた状態を示す。
したがって、携帯通信機２の一方の面は平面部４８上に載置されるため、携帯通信機２の一方の面が平面部４８に対してがたつくことがなく、携帯通信機載置部４４に横置きで載置された携帯通信機２の姿勢を安定して保持する上で有利となる。
また、突起４６に係止させることで、携帯通信機載置部４４に携帯通信機２を縦置きすることも、あるいは、平面部４８に載置することで、携帯通信機載置部４４に携帯通信機２を横置きにすることも可能となる。
したがって、遊技者の好みに応じて、あるいは、携帯通信機２のディスプレイに表示される画面の方向の縦向きと横向きとに応じて、携帯通信機２の姿勢を縦置きと横置きとに適宜選択することができるため、利便性の向上を図る上で有利となる。
【００２７】
（計数ホッパを備えていない遊技媒体貸出機）
次に、図１６〜図２７を参照して計数ホッパ２１を備えていない遊技媒体貸出機１０Ｂについて説明する。
なお、従来、計数ホッパ２１を備えていない遊技媒体貸出機では、計数遊技媒体受け皿を利用しないため、計数遊技媒体受け皿をカバーで閉塞しているが、本実施の形態では、受け皿用蓋に代えて、図１６（Ａ）、（Ｂ）に示すように、装着具６０を計数遊技媒体受け皿に装着する。
【００２８】
装着具６０は、図１７〜図２０、図２４に示すように、計数遊技媒体受け皿２６に装脱可能に装着され、装着具６０は、本体部６２と保持部６４とを備えている。
本体部６２には、缶飲料を含むカップや携帯通信機、たばこやライター、腕時計、菓子類などの物品載置部が設けられ、あるいは、動物、アニメのキャラクター、広告表示部など遊技媒体貸出機１０Ｂを装飾するための装飾部などが設けられ、あるいは、物品載置部と装飾部などの双方が設けられている。
本実施の形態では、本体部６２に複数の物品載置部が設けられ、それら物品載置部は、缶飲料を含むカップの載置を可能としたカップ載置部６６と、携帯通信機の載置を可能とした携帯通信機載置部６８である。
保持部６４は、カップ載置部６６と携帯通信機載置部６８とが計数遊技媒体受け皿２６に装着された状態を保持するものである。
カップ載置部６６と携帯通信機載置部６８は、筐体１２の正面と直交する方向で正面から離れる方向に並べられて設けられている。
カップ載置部６６は携帯通信機載置部６８よりも筐体１２の正面から離れた箇所に位置している。
【００２９】
カップ載置部６６は、カップや缶飲料が載置されるカップ用底壁６６０２と、カップ用底壁６６０２の周囲から起立するカップ用側壁６６０４とを有している。
図１９、図２４〜図２６に示すように、携帯通信機載置部６８は、携帯通信機２が載置される携帯通信機用底壁６８０２と、携帯通信機用底壁６８０２の周囲から起立する携帯通信機用側壁６８０４とを有し、携帯通信機載置部６８は、横の寸法よりも縦の寸法が大きい携帯通信機２を縦置きした状態、すなわち縦置きでの載置が可能に形成されている。この場合、縦置きにされた携帯通信機２の下部は、携帯通信機用底壁６８０２に載置されると共に携帯通信機用側壁６８０４の下部に係止し、携帯通信機の上部は開閉蓋３０の前面３００２に係止される。
図２５（Ａ）に示すように、携帯通信機用底壁６８０２は、カップ用底壁６６０２よりも高い箇所に位置してカップ用底壁６６０２に近づくにつれて次第に下方に変位する傾斜面で形成されている。
図２４（Ａ）、（Ｂ）、図２５（Ａ）に示すように、カップ載置部６６と携帯通信機載置部６８との境の箇所に位置するカップ用側壁６６０４および携帯通信機用側壁６８０４の少なくとも下部に欠部７０が設けられ、本実施の形態では、カップ載置部６６と携帯通信機載置部６８との境の箇所に位置するカップ用側壁６６０４および携帯通信機用側壁６８０４の上端から下端にわたって欠部７０が設けられている。
そして、この欠部７０の底部７００２を介してカップ用底壁６６０２と携帯通信機用底壁６８０２とが接続されている。本実施の形態では、欠部７０の底部７００２は、カップ用底壁６６０２に近づくにつれて次第に下方に変位する傾斜面で形成されている。
【００３０】
図１９、図２４（Ｃ）に示すように、携帯通信機用側壁６８０４の上端でカップ載置部６６寄りの複数箇所に、例えば携帯通信機２を横置きにした際に横置きされた携帯通信機２の下側の箇所に係止する係止突起６８１０が設けられている。この場合、図２７（Ｂ）に示すように、例えば横置きにされた携帯通信機２の下部は、携帯通信機用側壁６８０４の上端に載置されると共に複数の係止突起６８１０に係止し、携帯通信機２の上部は開閉蓋３０の前面３００２に係止される。すなわち、係止突起６８１０は、携帯通信機載置部６８を構成している。
図１９、図２４等に示す実施形態では、装着具６０の上面に形成した係止突起６８１０に加えて、カップ載置部６６及び携帯通信機載置部６８の凹部を装着具６０の上面に形成した実施形態を示してあるが、カップ載置部６６及び携帯通信機載置部６８の凹部を形成せずに、装着具６０の上面に略水平な平面を形成するとともに係止突起６８１０を形成してもよく、カップ載置部６６や携帯通信機載置部６８などの物品載置部の形状には従来公知の様々な構造が採用可能であり、実施の形態の構造に限定されない。
また、装着具６０の上面に、カップ載置部６６、携帯通信機載置部６８、及びその他の物品載置用の凹部の少なくとも一つを形成することもできるし、これらの構成に係止突起６８１０を加えて形成することもできる。
なお、本体部６２の先部と両側部をなすカップ用側壁６６０４と携帯通信機用側壁６８０４の上端には、図２４に示すように、計数遊技媒体受け皿２６の上端に係合し本体部６２のガタツキを防止する鍔部６２０２が設けられている。
【００３１】
図２０に示すように、保持部６４は、本体部６２から下方に突設された脚部６４０２と、脚部６４０２の中間部に設けられた係止突起６４０４とを備えている。
装着具６０の計数遊技媒体受け皿２６への装着は、次のように行なわれる。
すなわち、図２２、図２３に示すように、本体部６２を計数遊技媒体受け皿２６に収容し、脚部６４０２を計数遊技媒体受け皿２６の底壁２６０２の開口２６０４からノズルシュート２２の内部に挿入する。これにより、装着具６０が計数遊技媒体受け皿２６に装着され、係止突起６４０４が計数遊技媒体受け皿２６と計数メダル通路３６とを連通する開口３８（図２１）の上縁に係止し、言い換えると、係止突起６４０４が筐体１２の適宜箇所に係止し、装着具６０の上方への変位が不能となり、すなわち、装着具６０の取り外しが不能となる。
すなわち、保持部６４は、筐体１２の外側から見えない筐体１２の正面の内側の箇所に係脱可能に係止しており、不正に持ち去られるといったトラブルを防止するように図られている。
なお、保持部６４が筐体１２側に係止する構造には従来公知の様々な構造が採用可能であり、実施の形態の構造に限定されない。この場合に実施の形態のようにねじなどの固定具を用いずに係止構造を構成すると、保持部６４の取り外しをワンタッチで行なえ、装着具６０の取り付け、取り外し作業を短時間で簡単に行なう上で有利となる。
また、図２４（Ｃ）に示すように、カップ載置部６６から最も離れた携帯通信機用側壁６８０４の背面に突起６８１２が設けられ、装着具６０が計数遊技媒体受け皿２６に装着される際に、この突起６８１２が計数遊技媒体受け皿２６の軸受部５４の切り欠き５４０４（図１９参照）に係合することで装着具６０のガタツキが防止されている。すなわち、受け皿用蓋２８の軸受部５４を利用して装着具６０の位置決めを行なうので、部品点数の削減化、軽量化を図る上で有利となる。
なお、保持部６４は、物品載置部が計数遊技媒体受け皿２６に装着された状態を保持するものであり、保持部６４は、開口３８の上縁に係止する係止突起６４０４を有する脚部６４０２や、計数遊技媒体受け皿２６の上端に係合し本体部６２のガタツキを防止する鍔部６２０２、計数遊技媒体受け皿２６の軸受部５４の切り欠き５４０４に係合して本体部６２のガタツキを防止する突起６８１２を含んで構成されている。
【００３２】
また、装着具６０の取り外しは、次のように行なわれる。
まず、開閉蓋３０を開き、下部正面板３２を筐体１２から取り外す。
次に、係止突起６４０４を押し込んで開口３８の上縁から外し、本体部６２と脚部６４０２を計数遊技媒体受け皿２６から抜き出す。これにより装着具６０が計数遊技媒体受け皿２６から取り外される。すなわち、装着具６０の取り外しは、下部正面板３２を筐体１２から取り外した状態で可能となる。
なお、上述したように、開閉蓋３０が閉じた状態で、開閉蓋３０の下端と下部正面板３２の上端とは当接可能となるため、下部正面板３２の上方への変位は不能となり、すなわち、開閉蓋３０が閉じた状態で装着具６０を取り外すことができない。すなわち、本実施の形態では、装着具６０の取り外しについて２重のロック構造が作用していることになる。
また、脚部６４０２に係止突起６４０４に代えて係止孔を設け、筐体１２側に開口３８に代えて係止孔に係止する係止突起を設けても良いことは無論のことであり、脚部６４０２が筐体１２側に係止する構造は実施の形態に限定されず、従来公知の様々な係脱構造が採用可能である。この場合に実施の形態のようにねじなどの固定具を用いずに係脱構造を構成すると、脚部６４０２の取り外しをワンタッチで行なえ、装着具６０の取り付け、取り外し作業を短時間で簡単に行なう上で有利となる。
【００３３】
次に作用効果について説明する。
本実施の形態によれば、計数遊技媒体受け皿２６に装脱可能に装着される装着具６０を設け、装着具６０は、カップの載置を可能としたカップ載置部６６と、携帯通信機２の載置を可能とした携帯通信機載置部６８と、カップ載置部６６と携帯通信機載置部６８とが計数遊技媒体受け皿２６に装着された状態を保持する保持部６４とを有している。
したがって、装着具６０は、もともと遊技媒体貸出機１０が備える計数遊技媒体受け皿２６を利用して配置できるため、飲み物が入ったや缶飲料を含むカップ４、携帯通信機２を、遊技者の邪魔になることなく遊技者の近くに載置することができる。
そのため、遊技者は、カップ４をすぐに手に取ることができるので、利便性の向上を図る上で有利となる。また、同時に、携帯通信機２の表示画面を容易に視認することができるので、電話やメールなどの着信を見逃すことなく携帯通信機２を操作でき、利便性の向上を図る上で有利となる。
【００３４】
また、本実施の形態では、保持部６４は、本体部６２から下方に突設された脚部６４０２と、脚部６４０２に設けられた係止突起６４０４を備え、本体部６２が計数遊技媒体受け皿２６に収容され、脚部６４０２が計数遊技媒体受け皿２６の底壁２６０２を挿通し係止突起６４０４が筐体１２の適宜箇所（例えば開口３８の縁）に係止することで、装着具６０の上方への変位が不能となった装着具６０の装着状態が形成される。
すなわち、脚部６４０２は、筐体１２の外側から見えない筐体１２の正面の内側の箇所に係脱可能に係止し、装着具６０が不正に持ち去られるといったトラブルを防止する上で有利となる。
したがって、装着具６０の計数遊技媒体受け皿２６への装着、取り外しに際して、ボルトやナットなどの固定具が不要となるため、部品点数の削減を図る上で、また、装着具６０の組み付け、取り外し作業の簡素化を図る上で有利となる。
【００３５】
また、本実施の形態では、携帯通信機用底壁６８０２は、カップ用底壁６６０２よりも高い箇所に位置してカップ用底壁６６０２に近づくにつれて次第に下方に変位する傾斜面で形成され、カップ載置部６６と携帯通信機載置部６８との境の箇所に位置するカップ用側壁６６０４および携帯通信機用側壁６８０４の少なくとも下部に欠部７０が設けられ、この欠部７０の底部７００２を介してカップ用底壁６６０２と携帯通信機用底壁６８０２とが接続されている。
したがって、缶飲料を含むカップ４から飲み物を携帯通信機載置部６８にこぼしたとしても、こぼれた飲み物は、携帯通信機用底壁６８０２から欠部７０を介して携帯通信機載置部６８の傾斜面からカップ用底壁６６０２に速やかに導かれる。
そのため、携帯通信機用底壁６８０２上に飲み物が滞留することが抑制されるため、携帯通信機載置部６８に携帯通信機２を載置しても、飲み物によって携帯通信機２が濡れてしまうことを回避する上で有利となる。
【００３６】
また、本実施の形態では、開閉蓋３０が開口３４を閉塞した状態で、下部正面板３２は筐体１２から取り外し不能となり、開閉蓋３０が開口３４を開放した状態で、下部正面板３２は筐体１２から取り外し可能となり、装着具６０は、下部正面板３２が筐体１２から取り外された状態で、計数遊技媒体受け皿２６から取り外し可能となるようにした。
したがって、キーを用いて開閉蓋３０を開放しない限り、装着具６０を遊技媒体貸出機１０Ｂから取り外すことができないため、装着具６０が不正に持ち去られるといったトラブルを防止する上で有利となる。
【００３７】
また、本実施の形態では、計数遊技媒体受け皿２６の上方の筐体１２の正面の箇所に携帯通信機２の充電を行なう充電用コネクタ１８０６が設けられているので、携帯通信機載置部６８に載置された携帯通信機２と充電用コネクタ１８０６とをケーブルを介して接続することで、携帯通信機２の充電を行なうことができる。
したがって、遊技中に携帯通信機２の充電を行なうサービスを提供することができ、利便性の向上を図る上で有利となる。
【００３８】
さらに本実施の形態の作用効果を図２７（Ａ）〜（Ｅ）に示す具体例に基いて説明する。
図２７（Ａ）は、缶飲料を含むカップ４がカップ載置部６６に載置されると共に、携帯通信機２が携帯通信機載置部６８に縦置きで載置された状態を示す。
このようにカップ載置部６６と携帯通信機載置部６８は、筐体１２の正面と直交する方向で筐体１２の正面から離れる方向に並べられて設けられているため、計数遊技媒体受け皿２６の幅方向の限られたスペースを有効に活用してカップ載置部６６と携帯通信機載置部６８との双方を配置する上で有利となる。
また、このようにカップ載置部６６を携帯通信機載置部６８よりも筐体１２の正面から離れた箇所に位置させると、遊技者から見て缶飲料を含むカップ４が携帯通信機２よりも手前に位置することになる。したがって、缶飲料を含むカップ４を手に取りやすく利便性の向上を図る上で有利となる。但し、カップ載置部６６と携帯通信機載置部６８の位置関係は本実施例に限定されるものではなく、筐体１２の正面横方向に並べるようにしても良い。
図２７（Ｂ）は、携帯通信機２が携帯通信機用側壁６８０４の上端に横置きで載置された状態を示し、図２７（Ｃ）は、携帯通信機２が携帯通信機載置部６８に縦置きで載置された状態を示す。
このように係止突起６４０４に係止させることで、携帯通信機載置部６８に携帯通信機２を横置きにすることも、あるいは、携帯通信機用底壁６８０２に載置することで、携帯通信機載置部６８に携帯通信機２を縦置きにすることも可能となる。
したがって、遊技者の好みに応じて、あるいは、携帯通信機２のディスプレイに表示される画面の方向の縦向きと横向きとに応じて、携帯通信機２の姿勢を縦置きと横置きとに適宜選択することができるため、利便性の向上を図る上で有利となる。
図２７（Ｄ）は、缶飲料を含むカップ４がカップ載置部６６に載置された状態を示し、図２７（Ｅ）は、携帯通信機載置部６８にタバコ６が載置された状態を示す。
カップ載置部６６および携帯通信機載置部６８には、缶飲料を含むカップ４、携帯通信機２を載置する他、タバコ６や菓子など、遊技者が身の回りに置いておきたいものを載置するなど任意である。
【００３９】
以上の説明で明らかなように、本実施の形態によれば、計数ホッパ２１を備えた遊技媒体貸出機１０Ａであっても、あるいは、計数ホッパ２１を備えていない遊技媒体貸出機１０Ｂであっても、計数ホッパ２１の有無に拘わらず遊技者の邪魔にならないように携帯通信機２を載置でき、あるいは、携帯通信機２および缶飲料を含むカップ４を載置でき利便性の向上を図る上で有利な遊技媒体貸出機が得られる。
【００４０】
なお、本実施の形態では、装着具が物品載置部を有している場合について説明したが、装着具は、物品載置部を有しておらず、装飾部などを有しているものであってもよく、あるいは、物品載置部と装飾部などとの双方を有しているものであってもよく、要するに遊技媒体貸出機の利便性や意匠性などを高めるものであればよい。
【符号の説明】
【００４１】
２  携帯通信機
１０Ａ、１０Ｂ  遊技媒体貸出機
１２  筐体
１４  筐体本体
２０  払い出しホッパ
２１  計数ホッパ
２２  ノズルシュート
２６  計数遊技媒体受け皿
２８  受け皿用蓋
３０  開閉蓋
３２  下部正面板
３２０２  正面
３２１０  係止爪
３４  開口
４４  携帯通信機載置部
５２  支軸
５４  軸受部
５４０４  切り欠き
６０  装着具
６２  本体部
６２０２  鍔部
６４  保持部
６６  カップ載置部
６８  携帯通信機載置部
６８１０  係止突起
６８１２  突起
【図１】
2018015028.tif 000003
【図２】
2018015028.tif 000004
【図３】
2018015028.tif 000005
【図４】
2018015028.tif 000006
【図５】
2018015028.tif 000007
【図６】
2018015028.tif 000008
【図７】
2018015028.tif 000009
【図８】
2018015028.tif 000010
【図９】
2018015028.tif 000011
【図１０】
2018015028.tif 000012
【図１１】
2018015028.tif 000013
【図１２】
2018015028.tif 000014
【図１３】
2018015028.tif 000015
【図１４】
2018015028.tif 000016
【図１５】
2018015028.tif 000017
【図１６】
2018015028.tif 000018
【図１７】
2018015028.tif 000019
【図１８】
2018015028.tif 000020
【図１９】
2018015028.tif 000021
【図２０】
2018015028.tif 000022
【図２１】
2018015028.tif 000023
【図２２】
2018015028.tif 000024
【図２３】
2018015028.tif 000025
【図２４】
2018015028.tif 000026
【図２５】
2018015028.tif 000027
【図２６】
2018015028.tif 000028
【図２７】
2018015028.tif 000029